【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
複数の撮影条件を設定可能な撮影装置であって、
前記複数の撮影条件の中から撮影条件を選択する選択手段と、
前記選択手段による選択結果に応じて撮影制御を行う撮影制御手段と、
時刻を計時する計時手段と、
前記選択手段の選択結果に応じて、前記計時手段により計時される時刻の単位を変更する時刻単位変更手段と、
を備えた撮影装置。
【請求項２】
前記撮影条件は、連写スピード又はシャッタースピードを含むことを特徴とする請求項１に記載の撮影装置。
【請求項３】
前記撮影制御手段による撮影制御により得られた画像データと共に、前記選択手段による選択結果を示すデータと前記計時手段により計時された当該画像データの撮影時刻を示すデータを記録媒体に記録する記録制御手段を更に備え、
前記時刻単位変更手段は、前記記録制御手段によって記録された前記選択結果を示すデータに応じて前記記録媒体に記録された前記撮影時刻を示すデータの単位を変更する手段を更に備えることを特徴とする請求項１又は２に記載の撮影装置。
【請求項４】
前記撮影制御手段による撮影制御により得られた画像データと共に、前記計時手段により計時された撮影時刻を示すデータを記録媒体に記録する際に、前記時刻単位変更手段によって撮影時刻の単位が変更されたデータを当該画像データの撮影時刻として記録媒体に記録する記録制御手段を更に備えることを特徴とする請求項１〜３の何れか一項に記載の撮影装置。
【請求項５】
撮影時におけるスルー画像、又は前記記録制御手段によって記録された画像データを表示する表示手段と、
前記スルー画像、又は前記画像データと共に、前記時刻単位変更手段によって単位が変更された現在時刻を前記表示手段によって表示させる表示制御手段と、
を更に備えたことを特徴とする請求項１〜４の何れか一項に記載の撮影装置。
【請求項６】
前記表示制御手段は、前記選択手段による選択結果、又は前記記録制御手段によって記録された選択結果を示すデータに応じて、画像と共に表示させる時刻の表現方法を変化させる時刻表示変更手段を更に備えたことを特徴とする請求項５に記載の撮影装置。
【請求項７】
前記時刻表示変更手段は、前記選択手段による選択結果に対応させる時刻表示の表現方法をユーザの指示によって設定可能にする第２の設定手段を更に備えたことを特徴とする請求項６に記載の撮影装置。
【請求項８】
前記時刻単位変更手段は、前記選択手段による選択結果に対応させる時刻の単位をユーザの指示によって設定可能にする第１の設定手段を更に備えたことを特徴とする請求項１〜７の何れか一項に記載の撮影装置。
【請求項９】
時刻を計時する計時手段を備え、
複数の撮影条件を設定可能な撮影装置が有するコンピュータを、
前記複数の撮影条件の中から撮影条件を選択する選択手段と、
前記選択手段による選択結果に応じて撮影制御を行う撮影制御手段と、
前記選択手段の選択結果に応じて、前記計時手段により計時される時刻の単位を変更する時刻単位変更手段として機能させるためのプログラム。
【請求項１０】
記録媒体に記録された画像と時刻を表示させることが可能な画像表示装置であって、
記録媒体に記録されたデータから、画像データと撮影条件を示すデータと時刻を示すデータを取得する取得手段と、
前記取得手段によって取得した撮影条件を示すデータに応じて、前記取得手段によって取得した時刻を示すデータの単位を変更する前記時刻単位変更手段と、
前記時刻単位変更手段によって単位が変更された時刻を前記画像データともに表示させる表示制御手段と、
を備えることを特徴とする画像表示装置。
【手続補正２】
【補正対象書類名】明細書
【補正対象項目名】０００５
【補正方法】変更
【補正の内容】
【０００５】
上記課題を解決するために、請求項１の発明に係る撮影装置は、複数の撮影条件を設定可能であり、この複数の撮影条件の中から撮影条件を選択する選択手段と、この選択手段による選択結果に応じて撮影制御を行う撮影制御手段と、時刻を計時する計時手段と、前記選択手段の選択結果に応じて、前記計時手段により計時される時刻の単位を変更する時刻単位変更手段とを備えたことを特徴としている。
【手続補正３】
【補正対象書類名】明細書
【補正対象項目名】０００６
【補正方法】変更
【補正の内容】
【０００６】
また、請求項２記載の発明に係る撮影装置では、前記撮影条件は、連写スピード又はシャッタースピードを含むことを特徴とする。
【手続補正４】
【補正対象書類名】明細書
【補正対象項目名】０００７
【補正方法】変更
【補正の内容】
【０００７】
また、請求項３記載の発明に係る撮影装置では、前記撮影制御手段による撮影制御により得られた画像データと共に、前記選択手段による選択結果を示すデータと前記計時手段により計時された当該画像データの撮影時刻を示すデータを記録媒体に記録する記録制御手段を更に備え、前記時刻単位変更手段は、前記記録制御手段によって記録された前記選択結果を示すデータに応じて前記記録媒体に記録された前記撮影時刻を示すデータの単位を変更する手段を更に備えることを特徴とする。
【手続補正５】
【補正対象書類名】明細書
【補正対象項目名】０００８
【補正方法】変更
【補正の内容】
【０００８】
また、請求項４記載の発明に係る撮影装置は、前記撮影制御手段による撮影制御により得られた画像データと共に、前記計時手段により計時された撮影時刻を示すデータを記録媒体に記録する際に、前記時刻単位変更手段によって撮影時刻の単位が変更されたデータを当該画像データの撮影時刻として記録媒体に記録する記録制御手段を更に備えることを特徴とする。
【手続補正６】
【補正対象書類名】明細書
【補正対象項目名】０００９
【補正方法】変更
【補正の内容】
【０００９】
また、請求項５記載の発明に係る撮影装置では、撮影時におけるスルー画像、又は前記記録制御手段によって記録された画像データを表示する表示手段と、前記スルー画像、又は前記画像データと共に、前記時刻単位変更手段によって単位が変更された現在時刻を前記表示手段によって表示させる表示制御手段と、を更に備えたことを特徴とする。
【手続補正７】
【補正対象書類名】明細書
【補正対象項目名】００１０
【補正方法】変更
【補正の内容】
【００１０】
また、請求項６記載の発明に係る撮影装置は、前記表示制御手段は、前記選択手段による選択結果、又は前記記録制御手段によって記録された選択結果を示すデータに応じて、画像と共に表示させる時刻の表現方法を変化させる時刻表示変更手段を更に備えたことを特徴とする。
【手続補正８】
【補正対象書類名】明細書
【補正対象項目名】００１１
【補正方法】変更
【補正の内容】
【００１１】
また、請求項７記載の発明に係る撮影装置では、前記時刻表示変更手段は、前記選択手段による選択結果に対応させる時刻表示の表現方法をユーザの指示によって設定可能にする第２の設定手段を更に備えたことを特徴とする。
【手続補正９】
【補正対象書類名】明細書
【補正対象項目名】００１２
【補正方法】変更
【補正の内容】
【００１２】
また、請求項８記載の発明に係る撮影装置では、前記時刻単位変更手段は、前記選択手段による選択結果に対応させる時刻の単位をユーザの指示によって設定可能にする第１の設定手段を更に備えたことを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
また、請求項９記載の発明に係る撮影装置のプログラムは、時刻を計時する計時手段を備え、複数の撮影条件を設定可能な撮影装置が有するコンピュータを、前記複数の撮影条件の中から撮影条件を選択する選択手段と、前記選択手段による選択結果に応じて撮影制御を行う撮影制御手段と、前記選択手段の選択結果に応じて、前記計時手段により計時される時刻の単位を変更する時刻単位変更手段として機能させることを特徴とする。
【手続補正１２】
【補正対象書類名】明細書
【補正対象項目名】００１５
【補正方法】変更
【補正の内容】
【００１５】
また、請求項１０記載の発明に係る画像表示装置は、記録媒体に記録された画像と時刻を表示させることが可能な画像表示装置であって、記録媒体に記録されたデータから、画像データと撮影条件を示すデータと時刻を示すデータを取得する取得手段と、前記取得手段によって取得した撮影条件を示すデータに応じて、前記取得手段によって取得した時刻を示すデータの単位を変更する前記時刻単位変更手段と、前記時刻単位変更手段によって単位が変更された時刻を前記画像データともに表示させる表示制御手段とを備える。